(57)【要約】【課題】例えば過冷却状態の商品などの、温度管理が要求される商品をその品質を落とさずに供給することができ、かつ、既存の自動販売機の装置構成を大きく変更しなくとも、かかる商品の補充のタイミングの自由度を確保することができる自動販売機を提供する。【解決手段】自動販売機１の庫室２０は、商品補充口４１、商品排出口４２、及び、これらの間で複数の商品を収納する商品収納部４０を有し、庫室単位で温度管理される。商品収納部４０内の複数の商品のうち、商品排出口４２側の第１の個数の商品については、商品排出口４２からの排出を許可する一方、残りの商品については、商品排出口４２からの排出を禁止する。【選択図】図５
2020004236.tif 000002
【特許請求の範囲】
【請求項１】
商品補充口、商品排出口、及び、これらの間で複数の商品を収納する商品収納部を有する庫室であって、庫室単位で温度管理される庫室と、
前記商品収納部内の前記複数の商品のうち、前記商品排出口側の第１の個数の商品については、前記商品排出口からの排出を許可する一方、残りの商品については、前記商品排出口からの排出を禁止する制御部と、
を備えた、自動販売機。
【請求項２】
前記商品補充口を介した前記商品収納部への１以上の商品の補充の完了からの時間を計測するタイマーを備え、
前記制御部は、前記タイマーによる計測時間が第１の期間を経過した後、前記商品収納部への次の１以上の商品の補充を許可する、請求項１に記載の自動販売機。
【請求項３】
前記制御部は、前記次の１以上の商品の補充がなされたことをもって、前記商品収納部内の補充後の複数の商品のうち、前記商品排出口側の次の新しい第１の個数の商品について、前記商品排出口からの排出を許可する、請求項２に記載の自動販売機。
【請求項４】
前記第１の期間は、最短で２４時間である、請求項２又は３に記載の自動販売機。
【請求項５】
前記商品収納部に収納可能な商品の総数は、前記第１の個数の２倍の数よりも大きい、請求項１から４のいずれか一項に記載の自動販売機。
【請求項６】
前記第１の個数は、前記商品収納部に収納可能な商品の総数の約１／３である、請求項１から４のいずれか一項に記載の自動販売機。
【請求項７】
前記商品が過冷却状態となるように前記庫室を庫室単位で温度管理する温度制御システムを備えた、請求項１から６のいずれか一項に記載の自動販売機。
【請求項８】
前記庫室とは異なる温度管理がなされる１以上の第２の庫室を備えた、請求項７に記載の自動販売機。
【請求項９】
商品補充口、商品排出口、及び、これらの間で複数の商品を収納する商品収納部を有する庫室を備えた自動販売機の制御方法であって、
前記庫室を庫室単位で温度管理することと、
前記商品収納部内の前記複数の商品のうち、前記商品排出口側の第１の個数の商品については、前記商品排出口からの排出を許可する一方、残りの商品については、前記商品排出口からの排出を禁止することと、
を含む、自動販売機の制御方法。
【請求項１０】
前記商品補充口を介した前記商品収納部への１以上の商品の補充の完了からの時間をタイマーにより計測することと、
前記タイマーによる計測時間が第１の期間を経過した後、前記商品収納部への次の１以上の商品の補充を許可することと、
をさらに含む、請求項９に記載の自動販売機の制御方法。
【請求項１１】
前記次の１以上の商品の補充がなされたことをもって、前記商品収納部内の補充後の複数の商品のうち、前記商品排出口側の次の新しい第１の個数の商品について、前記商品排出口からの排出を許可すること、
をさらに含む、請求項１０に記載の自動販売機の制御方法。
【請求項１２】
前記第１の期間は、最短で２４時間である、請求項１０又は１１に記載の自動販売機の制御方法。
【請求項１３】
前記商品収納部に収納可能な商品の総数は、前記第１の個数の２倍の数よりも大きい、請求項９から１２のいずれか一項に記載の自動販売機の制御方法。
【請求項１４】
前記第１の個数は、前記商品収納部に収納可能な商品の総数の約１／３である、請求項９から１２のいずれか一項に記載の自動販売機の制御方法。
【請求項１５】
前記商品が過冷却状態となるように前記庫室を庫室単位で温度管理すること、
をさらに含む、請求項９から１４のいずれか一項に記載の自動販売機の制御方法。
【発明の詳細な説明】
【技術分野】
【０００１】
本発明は、自動販売機及びその制御方法に関する。
【背景技術】
【０００２】
現在、「アイスコールド  コカ・コーラ」と題する商品が一部のコンビニエンスストアで販売されている。この商品は、コンビニエンスストアに設置された過冷却専用のクローズタイプのクーラーにてPETボトルのコーラを過冷却状態（例えばマイナス４℃）まで冷やしたものである。この商品を開栓すると、炭酸飲料であることによるボトル内の内圧開放が刺激となって、コーラが液体からフローズン状に急激に変化するようになっている。このようなコーラは、これまでにない飲料体験を消費者に提供するものとして反響をよんでいる。
【０００３】
この過冷却状態のコーラを品質的に安定的に提供するためには、厳格な温度管理が要求される。そのため、例えば、上記のコンビニエンスストアでは、コーラを１０℃以下に事前冷却してから専用のクーラーに装填し、しかも、この装填を決まった時間に行うといった特別なオペレーションを行っている。
【先行技術文献】
【特許文献】
【０００４】
【非特許文献１】２０１６年５月１２日付け報道発表資料（1530251163565_0.pdf）
【発明の開示】
【発明が解決しようとする課題】
【０００５】
このような商品の提供は、専用のクーラーだけでなく、既存の自動販売機に展開できると望ましい。しかし、上記の特別なオペレーションを多数の自動販売機に行うことは現実的には困難である。なぜなら、商品の補充を決まった時間に行うのはオペレーターに多大な負担がかかる上、そもそも補充前に商品を所定温度に冷却管理しておくことが難しく、多大なコストがかかる。
【０００６】
本発明は、例えば過冷却状態の商品といった、温度管理が要求される商品をその品質を落とさずに供給することができ、かつ、既存の自動販売機の装置構成を大きく変更しなくとも、かかる商品の補充のタイミングの自由度を確保することができる自動販売機及びその制御方法を提供することを目的とする。
【課題を解決するための手段】
【０００７】
本発明の一態様に係る自動販売機は、商品補充口、商品排出口、及び、これらの間で複数の商品を収納する商品収納部を有する庫室であって、庫室単位で温度管理される庫室と、商品収納部内の複数の商品のうち、商品排出口側の第１の個数の商品については、商品排出口からの排出を許可する一方、残りの商品については、商品排出口からの排出を禁止する制御部と、を備える。
【０００８】
本発明の一態様に係る自動販売機の制御方法は、商品補充口、商品排出口、及び、これらの間で複数の商品を収納する商品収納部を有する庫室を備えた自動販売機の制御方法であって、庫室を庫室単位で温度管理することと、商品収納部内の複数の商品のうち、商品排出口側の第１の個数の商品については、商品排出口からの排出を許可する一方、残りの商品については、商品排出口からの排出を禁止することと、を含む。
【発明の効果】
【０００９】
本発明の自動販売機及びその制御方法によれば、温度管理が要求される商品をその品質を落とさずに供給することができ、かつ、既存の自動販売機の装置構成を大きく変更しなくとも、かかる商品の補充のタイミングの自由度を確保することができる。
【図面の簡単な説明】
【００１０】
【図１】実施形態に係る自動販売機を示す斜視図である。
【図２】図１の自動販売機の内部の庫室構成を示す模式図である。
【図３】図１の自動販売機の庫室の内部構造を模式的に示す側面図である、
【図４】図１の自動販売機の制御系を示すブロック図である。
【図５】図１の自動販売機の制御方法における商品管理の一例を示す模式図である。
【図６】図１の自動販売機の制御方法における商品管理の一例を示すフローチャートである。
【発明を実施するための形態】
【００１１】
添付図面を参照して、本発明の好適な実施形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。
【００１２】
図１に示すように、自動販売機１は、前扉２と、前扉２を開閉可能に連結した自販機本体３と、を備えている。前扉２は、公知の自動販売機におけるものと同様に、例えば、上半部全面に商品サンプル展示室１０を有するほか、金銭投入口１１、金銭払出口１２、商品取出し口１３などを有している。商品サンプル展示室１０では、自販機本体３に収納される商品のサンプルが複数示されており、各サンプルの下側に商品選択ボタン１４が設けられている。商品選択ボタン１４は、商品と１対１対応で設けられており、購入者によって押される。ボタンに代えて、タッチパネルなどの構成を採用して商品選択できるようにしてもよい。また、金銭投入口１１及び金銭払出口１２に加えて、または、これらとは別に、電子式のリーダーを設け、金銭に相当する電子マネーなどからも商品の購入が可能となるようにしてもよい。商品取出し口１３は、自販機本体３から送り出された商品をとどめておくことができ、購入者は、商品取出し口１３にアクセスすることで、購入した商品を手にすることができる。
【００１３】
図２に示すように、自販機本体３の内部には、３つの庫室２０、２１Ｌ、２１Ｒが設けられている。庫室２０と庫室２１Ｌとの間は断熱壁２５Ｌによって区画され、また、庫室２０と庫室２１Ｒとの間は断熱壁２５Ｒによって区画されている。庫室２０、２１Ｌ、２１Ｒには、それぞれ、複数の商品を収納するためのラック２６が少なくとも一つ設けられている。例えば、庫室２０には一つのラック２６が設けられ、庫室２１Ｌには二つのラック２６、２６が設けられている。ラック２６は、複数段、例えば図２では６段のコラム２８を上下方向に有しており、この６段のコラム２８の開口が前扉２側に面している。ラック２６に商品を補充する場合、オペレーターは、前扉２を開き、コラム２８の開口を商品補充口として利用する。
【００１４】
庫室２０、２１Ｌ、２１Ｒは、それぞれ、庫室単位で温度管理される。ここでは、庫室２０と、庫室２１Ｌ及び２１Ｒとは、商品の目標温度が異なっている。例えば、庫室２１Ｌ、２１Ｒでは、それぞれ、商品が所定のコールド状態又はホット状態となるように温度管理される。庫室２０では、商品が過冷却状態となるように温度管理される。具体的には、庫室２０では、商品の目標温度の設定がマイナス３℃〜マイナス６℃の範囲とされており、このような氷点下域の温度まで商品を冷やし込めるように温度管理される。なお、庫室２０は、過冷却状態での温度管理のモードとコールド状態での温度管理のモードとを変換できるように構成されてもよい。こうすることで、例えば、過冷却状態の商品のニーズが高い夏場と、そのような商品のニーズが高くない冬場との間で、庫室２０のモードを切り替えることができる。以下では、庫室２０を例にその内部構造の具体例を説明する。
【００１５】
図３に示すように、自販機本体３は、キャビネット構造からなり、前面が開口した筐体３０を有する。この筐体３０の内部に、ラック２６を有する庫室２０が設けられている。庫室２０には、ラック２６の下方にシューター３１が設けられている。シューター３１は、庫室２０の後方から前方に向けて漸次低くなるように傾斜した傾斜面を有しており、ラック２６から排出した商品Ｓを商品取出し口１３に向けて導く。
【００１６】
ラック２６は、ここでは、４つのコラム２８を有している。４つのコラム２８は、その大部分が前後方向（筐体３０の奥行方向）に並ぶように配設されている。各コラム２８は、商品収納部４０、商品補充口４１及び商品排出口４２を有している。商品収納部４０は、商品補充口４１と商品排出口４２との間で複数の商品Ｓを収納する。例えば、商品収納部４０は、缶又はＰＥＴボトルなどの容器に飲料を詰めてなる商品Ｓを横向き姿勢で積み重ねるように収納する。
【００１７】
商品収納部４０は、上下方向に延びる収納搬送路４７と、収納搬送路４７の上端から前方へと斜め上方に延びる収納導入路４８と、を備える。商品収納部４０は、収納搬送路４７及び収納導入路４８の両方に商品を収納することができる。なお、４つの商品収納部４０は、互いに同程度の本数の商品を収納することができる。例えば、容器が５００ｍｌのPETボトルからなる商品の場合、８４本を収納可能である。
【００１８】
商品補充口４１は、収納導入路４８の前端に位置しており、オペレーターが収納導入路４８へと商品を投入するために利用される。商品排出口４２は、収納搬送路４７の下端に位置している。商品排出口４２には、図示省略した商品払出し装置が設けられており、この商品払出し装置によって、収納搬送路４７内で最下位に位置する商品が一つずつ重力方式で下方のシューター３１に向けて排出される。なお、シューター３１は、４つのコラム２８に対して一つが設けられている。
【００１９】
庫室２０は、冷却機構３２によって温度管理されている。冷却機構３２は、庫室２０を庫室単位で温度管理する温度制御システムの一例であり、例えば、ヒートポンプ技術を用いたもので構成することができる。一例を挙げると、冷却機構３２は、蒸発器５０、圧縮機５２、凝縮器５４及び膨張機５６を備えることができる。例えば、蒸発器５０は、シューター３１の下方にて庫室２０内に設けられ、圧縮機５２、凝縮器５４及び膨張機５６は、庫室２０の下部の機械室５８内に設けられる。冷却機構３２は、庫室２０内の全ての商品を過冷却状態（商品の目標温度の設定がマイナス３℃〜マイナス６℃の範囲である。）となるように冷却する。また、冷却機構３２は、庫室２０内の全ての商品をコールド状態（商品の目標温度の設定が氷点下域ではない。）となるように冷却することができるようにも構成されている。なお、庫室２１Ｌ及び２１Ｒについては、冷却機構及び加温機構の一方によって、庫室２０とは異なる温度管理が庫室単位でなされる。
【００２０】
図４に示すように、自動販売機１は、制御部６０と、庫内温度センサ６２、６４と、タイマー６６と、を備えている。制御部６０は、ＣＰＵ７１、メモリ７２及び入出力インタフェース７３を備える電子制御ユニットであり、例えばマイクロコンピュータとして構成される。ＣＰＵ７１は、制御プログラムに従って所望の演算を実行するものであり、種々の処理や制御を行う。メモリ７２は、例えばＲＯＭ及びＲＡＭを有する。ＲＯＭは、ＣＰＵ７１で処理する制御プログラムや制御データを記憶し、ＲＡＭは、主として制御処理のための各種作業領域として使用される。入出力インタフェース７３には、自動販売機１の各部を構成する機器、例えば冷却機構３２（圧縮機５２）、加温機構及び図示書略の商品払出し装置のほか、庫内温度センサ６２、６４及びタイマー６６が接続される。このような構成により、制御部６０は、庫内温度センサ６２、６４やタイマー６６等からの入力信号を受けて、各種機器に指示信号を送り、商品管理や温度管理を含め、自動販売機１全体を制御する。
【００２１】
庫内温度センサ６２、６４は、庫室単位で設けられている。例えば、庫内温度センサ６２、６４は、それぞれ、庫室２０内のラック２６の上部位置及び下部位置における庫内温度を検出する（参照：図３）。なお、庫内温度センサ６２、６４は、ラック２６における複数のコラム２８のそれぞれに対応して設けてもよい。例えば、４つのコラム２８に対応して４セットの庫内温度センサ６２、６４を設け、各セットの庫内温度センサ６２、６４によって、コラム２８の商品補充口４１側及び商品排出口４２側における庫内温度を検出してもよい。
【００２２】
タイマー６６は、商品収納部４０への１以上の商品の補充の完了からの時間を計測する。購入者によって商品が購入され商品収納部４０から排出されると、商品収納部４０内で収納されている商品の数が減る。オペレーターは、商品補充口４１を介して商品を商品収納部４０へと補充する。このとき、公知の自動販売機に対する補充作業と同様に、常温の商品を補充する。この補充は、商品収納部４０内の商品の総数が所定数（例えば満杯）となるまで行うと完了する。この補充の完了を開始時間として、そこからの経過時間がタイマー６６によって計測される。タイマー６６は、１回の補充が完了するたびに、そこからの経過時間を計測する。また、タイマー６６は、ラック２６における複数の商品収納部４０のそれぞれに関して、補充完了からの時間を計測する。
【００２３】
次に、図５を参照して、自動販売機１の制御方法に関し、一つの商品収納部４０における商品管理の流れについて説明する。この商品管理では、二つの原理を採用している。一つ目は、販売に関して１／３の商品のみリリースを許可するというものである（以下、これを「第１の原理」という。）。すなわち、商品収納部４０内の商品のうち、その１／３の個数の、商品排出口４２側にある商品について商品排出口４２からの排出を許可する一方、残りの商品については商品排出口４２からの排出を禁止するというものである。二つ目は、各補充オペレーション間の間隔を２４時間以上空けるというものである（以下、これを「第２の原理」という。）。すなわち、次回の補充の許可は、前回の補充の完了から２４時間以上経ってからなされるというものである。以下、簡便な説明のため、図５においては、一つの商品収納部４０における商品の最大数（総数）を９本とし、三日間の商品管理の一例を取り上げる。
【００２４】
図５に示すように、１日目の１０時の時点で、３本の常温の商品Ｓ１が補充される。すると、商品収納部４０における商品の本数が最大数の９となり、商品排出口４２側の３本の商品Ｓ３のみ、リリースが許可される（第１の原理）。商品Ｓ３は、過冷却状態まで冷やされているものである。商品Ｓ３の上側にある３本の商品Ｓ２は、冷却された状態ではあるものの、常温の商品Ｓ１からの熱伝達により温められる。説明の便宜上、このような商品Ｓ２を「予備冷却状態」の商品と呼ぶ。その後、３本の商品Ｓ３がすべて販売によりリリースされると、それ以降の商品の販売は禁止される（第１の原理）。したがって、次の３本の常温の商品Ｓ１が補充される２日目の２０時までは、商品収納部４０内の６本の商品の販売は禁止される
【００２５】
２日目の１０時の時点では、予備冷却状態の商品Ｓ２は過冷却状態の商品Ｓ３へと変わる。ここでは、商品が常温又は予備冷却状態から過冷却状態に確実に変化するのに十分な時間として、２４時間と設定している。常温の商品Ｓ１は、予備冷却状態の商品Ｓ２へと変わる。商品収納部４０への商品の補充は、２日目の１０時よりも後であれば許可される（第２の原理）。ここでは、２日目の２０時に、次の３本の常温の商品Ｓ１が補充される。この補充によって、商品収納部４０における商品の本数が最大数の９となり、商品排出口４２側の次の新しい３本の商品Ｓ３についてのみ、再度、リリースが許可される（第１の原理）。上記同様に、商品Ｓ３の上側にある３本の商品Ｓ２は、常温の商品Ｓ１によって予備冷却状態となる。その後、３日目において、３本の商品Ｓ３がすべて販売によりリリースされると、次の補充が許可される２０時以降までは（第２の原理）、残りの商品の販売は禁止される（第１の原理）。
【００２６】
このような商品管理は様々なメリットがある。例えば、仮に、商品収納部４０内の商品の全てのリリースを許可している場合、予備冷却状態の商品Ｓ２や常温の商品Ｓ１が購入者に提供され得る。これでは、過冷却状態の商品Ｓ３を期待する購入者に、別の品質の商品を提供してしまうことになる。これに対し、上記の商品管理によれば、商品収納部４０内の商品のうち、商品排出口４２側の３本の商品Ｓ３についてのみリリースを許可しているので、期待通りの品質の商品Ｓ３を購入者に提供することができる。
【００２７】
加えて、上記の品質管理によれば、商品が常温又は予備冷却状態から過冷却状態に確実に変化するのに十分な時間を２４時間であるとし、その前提に基づいて、商品の補充の間隔を２４時間以上空けている。これにより、次の補充が行われた時点において商品収納部４０内の商品排出口４２側にある３本の商品は常に商品Ｓ３となる。そして、この３本の商品Ｓ３について次のリリースが許可されることから、常に過冷却状態の商品Ｓ３を購入者に提供することができる。
【００２８】
また、上記の品質管理によれば、自動販売機１自身で、自動販売機１で提供する商品を安定的に過冷却状態にすることができる。これにより、商品の補充の前に、自動販売機１以外のところで商品を事前に冷却しておかなくて済む。加えて、上記の品質管理によれば、商品の補充の間隔を２４時間以上空けている限り、商品の補充を決まった時間に行わなくて済む。これにより、既存の自動販売機の装置構成を大きく変更しなくとも、商品の補充のタイミングの自由度を確保することができる。
【００２９】
次に、図６は、自動販売機１において実施する商品管理の一例を示すフローチャートである。この商品管理においても、上記同様の二つの原理が採用されている。ただし、販売に関してリリースを許可する商品の数は「第１の個数」となっており、各補充オペレーション間の間隔は「第１の期間」となっている。以下では、庫室２０を例にその商品管理の具体例を説明する。
【００３０】
まず、庫室２０を庫室単位で温度管理する（ステップＳ１０）。これは、例えば、制御部６０が、庫内温度センサ６２、６４からの入力信号を受けて、冷却機構３２に指示信号を送ることで行う。次いで、商品収納部４０に対して１以上の商品の補充が行われる（ステップＳ１１）。これは、オペレーターによって行われる。ここでは、商品収納部４０内の商品数が最大収納数となるまで補充が行われたとする。
【００３１】
そして、補充完了からの時間をタイマー６６により計測する（ステップＳ１２）。タイマー６６による計測時間の情報は、制御部６０に送られる。制御部６０は、タイマー６６による計測時間が第１の期間を経過したか否かを判断する（ステップＳ１３）。経過していなければ、次の補充を禁止する（ステップＳ１４）。一方、経過していれば、次の補充を許可する（ステップＳ１５）。
【００３２】
ここで、次の補充の禁止又は許可については、例えば、制御部６０が、自動販売機１の表示装置（図示省略）に表示することでオペレーターに示すことで行うことができる。あるいは、商品補充口４１にシャッターを設けておき、制御部６０が、次の補充を禁止している間はシャッターを閉じ、次の補充を許可するときにシャッターを開くなど、物理的に装置を制御するものであってもよい。
【００３３】
ここで、「第１の期間」とは、例えば図５に関して述べたような、最短で２４時間であるが、これに限るものではない。この第１の期間は、温度管理する商品のターゲット温度（目標温度）及び商品の性状などの因子をもとに適宜設定することができる。例えば、商品がコーラなどの炭酸飲料で、ターゲット温度がマイナス３℃〜マイナス６℃の場合、安定的な結晶化現象を起こすのに十分な時間が２４時間であることが本発明者らによって確認されているため、これを第１の期間とすることが好ましい。別の例として、ターゲット温度が５℃の場合は、数時間とすることもできる。
【００３４】
また、商品の補充後においては（ステップＳ１１）、商品収納部４０内の商品のうち、商品排出口４２側の第１の個数の商品については商品排出口４２からの排出を許可する一方、残りの商品については商品排出口４２からの排出を禁止する（ステップＳ１６）。このような商品の排出許可及び排出禁止については、例えば、制御部６０が、商品排出口４２に設けた商品払出し装置を制御することで行うことができる。より具体的には、制御部６０は、第１の個数の商品の排出後は、商品がこれ以上排出されないように商品払出し装置をロックする。
【００３５】
ここで、「第１の個数」とは、例えば図５に関して述べたような、商品収納部４０に収納可能な商品の総数の約１／３である。例えば、５００ｍｌのPETボトルからなる商品の場合の収納可能総数は８４本であるから、第１の個数は２８本となる。この第１の個数は、温度管理する商品のターゲット温度や、商品の需要傾向などの因子をもとに適宜設定することができる。例えば、ターゲット温度がマイナス３℃〜マイナス６℃の場合、商品収納部４０に収納可能な商品の総数の約１／３に設定するとよい。この場合、補充後の商品収納部４０内の商品について、商品排出口４２側から順に、過冷却状態の商品の層、予備冷却状態の商品の層及び常温の商品の層をそれぞれ１／３ずつ均等に構成することになる。この中間層である予備冷却状態の商品の層を他の二層と同様に設けることで、過冷却状態の商品の層を安定的に確保することができる。
【００３６】
他の実施態様では、第１の個数を、商品収納部４０に収納可能な商品の総数の約１／４とすることもできる。この場合、補充後の商品収納部４０内の商品について、商品排出口４２側から順に、過冷却状態の商品の層が約１／４、予備冷却状態の商品の層が約１／２、そして常温の商品の層が約１／４を構成することになる。これによれば、中間層が大きくなるため、常温の商品からの温度伝達に対してより高い干渉効果が期待できるものの、リリースできる過冷却状態の商品の数を減らしてしまうという背反がある。この干渉効果とリリースし得る数とのバランスの観点からすると、上記の約１／３が好ましい。
【００３７】
別の観点から説明すると、商品収納部４０に収納可能な商品の総数は、第１の個数の２倍の数よりも大きいとよい。こうすることで、補充後の商品収納部４０内の商品について、中間層（予備冷却状態の商品の層）を確実に設けることができる
【００３８】
その後、商品収納部４０から第１の個数の商品が排出された場合（ステップＳ１７：Ｙｅｓ）、商品の販売を停止する（ステップＳ１８）。この販売停止が購入希望者にわかるように、制御部６０は、例えば、自動販売機１の商品選択ボタン１４において、当該商品について「売り切れ」や「冷却中」などを表示してもよい。販売停止後において、タイマー６６による計測時間が第１の期間を経過していなければ次の補充が禁止されるため（ステップＳ１３：Ｎｏ、ステップＳ１４）、この間は商品の販売停止が継続される。一方、経過していれば次の補充が許可され（ステップＳ１３：Ｙｅｓ、ステップＳ１５）、次の補充がなされると（ステップＳ１１）、商品の販売が再開される。すなわち、この補充がなされたことをもって、上記同様に、商品収納部４０内の補充後の複数の商品のうち、商品排出口４２側の次の新しい第１の個数の商品についてのみ商品排出口４２からの排出が許可される。なお、商品収納部４０から第１の個数の商品が排出されるまでは（ステップＳ１７：Ｎｏ）、商品の販売は継続される。
【００３９】
以上説明した本実施形態の自動販売機１によれば、例えば、厳しい温度管理が要求される過冷却状態の商品をその品質を落とさずに供給することができ、かつ、既存の自動販売機の装置構成を大きく変更しなくとも、かかる商品の補充のタイミングの自由度を確保することができる。
【００４０】
以上説明した実施形態は、本発明の理解を容易にするためのものであり、本発明を限定して解釈するためのものではない。実施形態が備える各要素並びにその配置、材料、条件、形状、サイズ及び個数等は、例示したものに限定されるわけではなく適宜変更することができる。
【符号の説明】
【００４１】
１…自動販売機、２…前扉、３…自販機本体、１０…商品サンプル展示室、１１…金銭投入口、１２…金銭払出口、１３…商品取出し口、１４…商品選択ボタン、２０…庫室、２１Ｌ、２１Ｒ…庫室（第２の庫室）、２５Ｌ、２５Ｒ…断熱壁、２６…ラック、２８…コラム、３０…筐体、３１…シューター、３２…冷却機構、４０…商品収納部、４１…商品補充口、４２…商品排出口、４７…収納搬送路、４８…収納導入路、５０…蒸発器、５２…圧縮機、５４…凝縮器、５６…膨張機、６０…制御部、６２、６４…庫内温度センサ、６４、６６…タイマー、７１…ＣＰＵ、７２…メモリ、７３…入出力インタフェース、Ｓ１…常温の商品、Ｓ２…予備冷却状態の商品、Ｓ３…過冷却状態の商品
【図１】
2020004236.tif 000003
【図２】
2020004236.tif 000004
【図３】
2020004236.tif 000005
【図４】
2020004236.tif 000006
【図５】
2020004236.tif 000007
【図６】
2020004236.tif 000008